(57)【要約】【課題】簡単な構成と制御動作により、撮像情報の誤重複送信を避け、撮像情報の確実・適確な分類管理が可能で小型化可能なディジタルカメラの提供。【解決手段】撮像画像データのメモリ１０に、外部装置２３への送信対象撮データを格納する送信対象ディレクトリ２７と、送信済みの撮像データを、送信対象ディレクトリ２７から移動格納する送信済みディレクトリ２９が形成され、被写体の撮像データは、先ず送信対象ディレクトリ２７に格納され、外部装置２３に送信済みの撮像データが送信済みディレクトリ２９に移動格納され、ファイル固有コードの作成、送信ファイルの固有コードと外部装置の全格納ファイルとの固有コードの比較が不要で、簡単な構成と制御でカメラを小型化して、メモリ１０に撮像データを、外部装置２３への重複誤送信を避けて分類格納し、撮像データを外部装置２３での利用要求に迅速に対応自在に管理可能になる。【選択図】　　　　図１
2004104725.tif 000002
【特許請求の範囲】
【請求項１】
撮像情報を格納する撮像情報格納手段と、該撮像情報格納手段の格納情報を再生表示する撮像情報表示手段と、前記撮像情報格納手段に格納される撮像情報を外部装置に送信する撮像情報送信手段とを備えたディジタルカメラであり、
前記撮像情報格納手段には、送信対象となる撮像情報が格納される第１のディレクトリと、送信済みの撮像情報が格納される第２のディレクトリとが設けられ、
前記第１のディレクトリに格納される撮像情報を前記外部装置に送信し、送信済みの撮像情報を前記第２のディレクトリに移動格納する送信・格納制御手段
を有することを特徴とするディジタルカメラ。
【請求項２】
請求項１記載のディジタルカメラに対して、
外部装置への送信を済ませた撮像情報への移動格納を、選択設定する移動格納選択切換手段がさらに設けられていることを特徴とするディジタルカメラ。
【請求項３】
請求項１または請求項２記載のディジタルカメラに対して、第１のディレクトリから第２のディレクトリに移動格納した撮像情報を、前記第２のディレクトリから、前記第１のディレクトリに復帰格納する復帰格納手段がさらに設けられていることを特徴とするディジタルカメラ。
【請求項４】
請求項３記載のディジタルカメラに対して、
撮像情報の第２のディレクトリから第１のディレクトリへの復帰格納を選択設定する復帰格納選択切換手段がさらに設けられていることを特徴とするディジタルカメラ。
【請求項５】
請求項１ないし請求項４の何れかに記載のディジタルカメラに対して、
第２のディレクトリに格納される撮像情報について、撮像情報表示手段による表示を禁止する表示禁止手段がさらに設けられていることを特徴とするディジタルカメラ。
【請求項６】
請求項５記載のディジタルカメラに対して、
表示禁止手段の表示禁止を選択設定する表示禁止選択切換手段がさらに設けられていることを特徴とするディジタルカメラ。
【発明の詳細な説明】
【０００１】
【発明の属する技術分野】
本発明は、撮影した撮像情報を大容量の記憶媒体を有する外部装置に送信する機能を備えたディジタルカメラに関する。
【０００２】
【従来の技術】
ディジタルカメラには、撮影した撮像情報を格納するメモリが内蔵されているが、メモリの容量には限度があるので、格納される撮像情報量が増加してくると、撮像情報を、例えばディジタルカメラに着脱自在なメモリカードに記録格納して管理することが必要になる。しかし、メモリカードの容量は２Ｍ〜８Ｍの範囲にあり、最大格納容量は、記録コマ数で言うと４０枚から１６０枚位に制限され、格納される撮像情報量の増加に伴って、何枚ものメモリカードに格納することが必要になり、撮像情報の管理上では不便な面が生じる。
このために、通常は、ディジタルカメラで撮影した撮像情報を、ディジタルカメラに内蔵されるメモリに一時的に格納した後に、光磁気ディスク、ＣＤ−Ｒ、ハードディスクなどの大容量記録媒体を有するパーソナルコンピュータなどの外部装置に転送し、外部装置によって大容量記録媒体に記録格納する方法が利用されている。
【０００３】
【発明が解決しようとする課題】
ところで、ディジタルカメラで撮影した撮像情報を外部装置に送信して大容量記録媒体に格納する方式では、すでに外部装置に送信済みの撮像情報を、重複して外部装置に送信することは避けねばならず、また、すでに外部装置に送信し大容量記録媒体に格納された撮像情報を、画像編集して得た撮像情報を外部装置の第容量記録媒体に転送する場合に、画像編集前の元撮像情報が上書き消去されてしまうことも避けねばならない。
【０００４】
このような撮像情報の送信格納を行なう画像記録システムが、特開平１１−２３４６１５号公報に開示されており、開示に係る画像記録システムでは、ディジタルカメラで撮影される撮像画像データのファイル毎に、異なる固有コードを付与し、ファイルの外部装置への送信に際して、外部装置の大容量記録媒体に既に記録されているファイルの固有コードと、送信しようとするファイルの固有コードとを比較し、比較された固有コードが異なる場合にのみ、ディジタルカメラ側から外部装置にファイルを送信することにより重複送信を防止し、画像編集した撮像情報には、別途固有コードを付与することにより画像編集前の撮像情報の消去を防止している。
【０００５】
しかし、前述の開示に係る画像記録システムでは、撮像ファイル毎及び画像編集が施されたファイル毎に固有コードを作成付与し、ファイルの送信に際して、送信しようとする固有コードと、外部装置の大容量記録媒体に記録格納されている全ての撮像情報データのファイルとを比較し、送信の制御をすることが必要で、全体の構成が複雑となり、制御動作も複雑となって、ディジタルカメラの小型化も阻止される。
【０００６】
本発明は、前述したようなこの種のディジタルカメラの現状に鑑みてなされたものであり、その目的は、簡単な構成とオペレータの判断がスムーズに導入される制御動作とに基づき、撮像情報の誤重複送信を避け、撮像情報の確実・適確な分類管理と全体の小型化が可能なディジタルカメラを提供することにある。
【０００７】
【課題を解決するための手段】
前記目的を達成するために、請求項１記載の発明は、撮像情報を格納する撮像情報格納手段と、該撮像情報格納手段の格納情報を再生表示する撮像情報表示手段と、前記撮像情報格納手段に格納される撮像情報を外部装置に送信する撮像情報送信手段とを備えたディジタルカメラであり、前記撮像情報格納手段には、送信対象となる撮像情報が格納される第１のディレクトリと、送信済みの撮像情報が格納される第２のディレクトリとが設けられ、前記第１のディレクトリに格納される撮像情報を前記外部装置に送信し、送信済みの撮像情報を前記第２のディレクトリに移動格納する送信・格納制御手段を有することを特徴とするものである。
【０００８】
このような手段によると、撮像情報格納手段には、撮像情報送信手段による外部装置への送信の対象となる撮像情報が格納される第１のディレクトリと、送信済みの撮像情報が格納される第２のディレクトリとが設けられており、送信・格納制御手段の制御によって、第１のディレクトリに格納される撮像情報から選択された撮像情報が、撮像情報送信手段によって外部装置に送信され、送信済みの撮像情報が第２のディレクトリに移動格納されるので、簡単な構成でカメラを小型化した状態で、被写体の撮像情報を、撮像情報格納手段に、外部装置への重複誤送信を避けて適確に分類格納し、撮像情報が、外部装置での利用要求に迅速に対応自在に撮像情報格納手段に管理格納される。
【０００９】
同様に前記目的を達成するために、請求項２記載の発明は、請求項１記載の発明に対して、外部装置への送信を済ませた撮像情報への移動格納を、選択設定する移動格納選択切換手段がさらに設けられていることを特徴とするものである。
【００１０】
このような手段によると、請求項１記載の発明での作用に加えて、オペレータによって、移動格納選択切換手段が必要時に選択され、外部装置への送信を済ませた撮像情報の第２のディレクトリへの移動格納が選択的に実行されるので、被写体の撮影動作と撮像情報の外部装置への送信動作との流れを勘案して、送信済みの撮像情報の第２のディレクトリへの移動格納を、計画的且つ効率的に選択実行することにより、被写体の撮影と撮像情報の管理とが能率的且つ効果的に実行される。
【００１１】
同様に前記目的を達成するために、請求項３記載の発明は、請求項１または請求項２記載の発明に対して、第１のディレクトリから第２のディレクトリに移動格納した撮像情報を、前記第２のディレクトリから前記第１のディレクトリに復帰格納する復帰格納手段がさらに設けられていることを特徴とするものである。
【００１２】
このような手段によると、請求項１または請求項２記載の発明での作用に加えて、復帰格納手段によって、第１のディレクトリから第２のディレクトリに移動格納した撮像情報が、第２のディレクトリから第１のディレクトリに復帰格納され、必要に応じて送信済みの撮像情報の外部装置への再度の送信が簡単且つスムーズに行なわれる。
【００１３】
同様に前記目的を達成するために、請求項４記載の発明は、請求項３記載の発明に対して、撮像情報の第２のディレクトリから第１のディレクトリへの復帰格納を選択設定する復帰格納選択切換手段がさらに設けられていることを特徴とするものである。
【００１４】
このような手段によると、請求項３記載の発明での作用に加えて、オペレータによって、復帰格納選択切換手段が必要時に選択され、撮像情報の第２のディレクトリから第１のディレクトリへの復帰格納が選択的に実行されるので、被写体の撮像動作と撮像情報の外部装置への送信動作とに基づいて、送信済み撮像情報の外部装置への再度送信の必要性が発生すると、必要な撮像情報が第２のディレクトリから第１のディレクトリに復帰格納され、外部装置にスムーズに再度送信される。
【００１５】
同様に前記目的を達成するために、請求項５記載の発明は、請求項１ないし請求項４の何れかに記載の発明に対して、第２のディレクトリに格納される撮像情報について、撮像情報表示手段による表示を禁止する表示禁止手段がさらに設けられていることを特徴とするものである。
【００１６】
このような手段によると、請求項１ないし請求項４の何れかに記載の発明での作用に加えて、表示禁止手段によって、送信済みの撮像情報の表示が禁止されるので、オペレータによって、撮像情報表示手段により表示される撮像情報に基づいて、送信対象の撮像情報と送信済みの撮像情報とが適確に識別される。
【００１７】
同様に前記目的を達成するために、請求項６記載の発明は、請求項５記載の発明に対して、表示禁止手段の表示禁止を選択設定する表示禁止選択切換手段がさらに設けられていることを特徴とするものである。
【００１８】
このような手段によると、請求項５記載の発明での作用に加えて、オペレータによって、表示禁止選択切換手段が必要時に選択され、第２のディレクトリに格納された撮像情報が、表示禁止選択切換手段の非選択時には、撮像情報表示手段によって表示されるので、送信済みの撮像情報を、必要に応じて表示し内容の確認が行なわれる。
【００１９】
【発明の実施の形態】
［第１の実施の形態］
本発明の第１の実施の形態を、図１ないし図５を参照して説明する。
図１は本実施の形態の全体構成を示すブロック図、図２は本実施の形態における撮像情報の送信対象ファイルへの格納状態の説明図、図３は図２の格納状態から送信済みディレクトリへの移動格納と新たな撮像情報の送信対象ファイルへの格納状態の説明図、図４は図３の格納状態から送信済み撮像情報の送信対象ファイルへの復帰格納状態の説明図、図５は本実施の形態の撮像情報の送信格納動作を示すフローチャートである。
【００２０】
本実施の形態では、図１に示すように、ディジタルカメラ２５には、必要に応じて、大容量記録媒体を備えたパーソナルコンピュータなどの外部装置２３が、接続可能に構成されており、ディジタルカメラ２５には、電子シャツタ機能を備え、被写体の光像を光電変換して撮像信号として出力するＣＣＤ（ＣｈａｒｇｅＣｏｕｐｌｅｄ　Ｄｅｖｉｃｅ；電荷結合デバイス）１が配設され、ＣＣＤ１の出力端子には撮像信号の雑音抑制を行なうＣＤＳ（Ｃｏｒｒｅｌａｔｅｄ　Ｄｏｕｂｌｅ　Ｓａｍｐｌｉｎｇ　Ｃｉｒｃｕｉｔ；相関２重サンプリング回路）２が接続され、ＣＤＳ２の出力端子には、雑音抑制された撮像信号を、例えば、ＮＴＳＣ信号のサブキャリア周波数の整数倍でＡＤ変換を行なうＡＤ変換回路３が接続されている。
そして、ＡＤ変換回路３の出力端子には、ＡＤ変換された撮像信号に対して、ガンマ処理と色分離処理を施して、輝度信号Ｙ、色信号Ｃｂ、Ｃｒを作成するディジタル信号処理ユニット６が接続されている。
【００２１】
一方、本実施の形態には、全体の動作を制御するＣＰＵ７が設けられ、ＣＰＵ７には、図示はしないが圧縮・伸長処理部及び表示処理部が設けられており、このＣＰＵ７には、ディジタル信号処理ユニット６と、外部との通信のインタフェースを行なう通信インタフェース１６とが接続され、通信インタフェース１６には通信コネクタ１７が接続されている。
さらに、ＣＰＵ７には、ＣＣＤ１、ＣＤＳ２及びＡＤ変換回路３にそれぞれ制御信号を供給する駆動制御部５、制御プログラムが格納されたＲＯＭ１３、制御動作時に各種の信号の書込・読出が行なわれるＲＡＭ１２、及び外部装置のベース・クロックに同期してデータの授受が可能なＳＤＲＡＭ（Ｓｙｎｃｈｒｏｎｏｕｓ　ＤＲＡＭ）で構成されるメモリ１０、オペレータが各種の指令信号を入力する操作部２０、及び制御動作時に各種のデータが表示される表示部２１が接続されている。
また、本実施の形態には、バッテリー１５の出力端子が接続され、装置各部にそれぞれ所定の直流電圧を供給するＤＣ−ＤＣ変換回路１４が設けられ、このＤＣ−ＤＣ変換回路１４の制御端子にＣＰＵ７が接続されている。
【００２２】
そして、本実施の形態のメモリ１０は、送信対象の撮像情報が格納される第１のディレクトリと、送信済みの撮像情報が格納される第２のディレクトリとが形成自在に構成され、ＣＰＵ７には、送信済みの撮像情報を第２のディレクトリに移動格納する移動格納手段、第２のディレクトリに格納された撮像情報を第１のディレクトリに復帰格納する復帰格納手段、及び第２のディレクトリに格納される撮像情報の表示部２１での表示を禁止する表示禁止手段が設けられている。
【００２３】
このような構成の本実施の形態の被写体の撮影動作を説明する。
操作部２０からの撮影指令信号に基づいて、被写体の撮影が開始されると、ＣＰＵ７の指令によって、駆動制御部５が作動状態となり、ＣＣＤ１に入射される被写体の光像は、駆動制御部５からの駆動信号によって、ＣＣＤ１にマトリクス状に配列されているホトダイオードに入射され、電子シャツター動作によって、蓄積時間が制御された状態で蓄積される。
この電子シャッタ動作に基づき、被写体の光像は、ＣＣＤ１によって光電変換されて撮像信号としてＣＣＤ１からＣＤＳ２に入力され、ＣＤＳ２によって相関２重サンプリングによる低雑音化処理が行なわれ、低雑音化処理が施された撮像信号がＡＤ変換回路３に入力され、ＮＴＳＣ信号のサブキャリア周波数の整数倍のサンプリング周波数でＡＤ変換され、ディジタル信号処理ユニット６に入力される。
【００２４】
このようにして、ディジタル信号処理ユニット６に入力される被写体の撮像信号は、ＣＰＵ７の指令によって、先ず、ＣＣＤ配列のままのＲａｗ信号データとしてＲＡＭ１２に格納される。
そして、ＣＰＵ７の指令でＲＡＭ１２から読み出されるＲａｗ信号データは、ディジタル信号処理ユニット６によって、ガンマ処理と色信号分離の信号処理が施されことにより、輝度信号Ｙ、色差信号Ｃｂ、Ｃｓが作成され、ＣＰＵ７の指令によってＮＴＳＣ信号に変換され、ＣＰＵ７の表示処理部の制御によって、被写体の撮像表示信号が作成され、表示部２１に被写体の撮像信号が表示される。
【００２５】
一方、メモリ１０は、図３に示すように、外部装置２３への送信対象となる撮像データが格納される送信対象ディレクトリ２７と、送信済みの撮像データが格納される送信済みディレクトリ２９とが形成自在な構成となっていて、被写体の撮像データを格納する場合には、ＣＰＵ７の指令によって、ＲＡＭ１２から読み出されるＲａｗ信号データに、ガンマ処理と色分解処理の信号処理が施され、輝度信号Ｙ、色差信号Ｃｂ、Ｃｓが作成され、さらに直交変換やハフマン符号化による圧縮処理が施され、このようにして圧縮処理された撮像信号データがメモリ１０に形成される送信対象ディレクトリ２７に格納される。
この場合、図２に示すように、外部装置２３への送信対象となる撮像データファイルＲＩＭＧ０００１ＪＰＧ、ＲＩＭＧ０００２ＪＰＧ、ＲＩＭＧ０００３ＪＰＧは、メモリ１０の送信対象ディレクトリ２７に格納される。
【００２６】
本実施の形態の撮像情報の送信格納動作を、図５のフローチャートに従って説明する。
図５のフローチャートのステップＳ１において、被写体の撮影が行なわれると、すでに説明したように、ＣＰＵ７の指令によって、ＡＤ変換回路３から出力される撮像信号に対して、ガンマ処理と色分解処理の信号処理に基づき、輝度信号Ｙ、色差信号Ｃｂ、Ｃｓが作成され、さらに直交変換やハフマン符号化による圧縮処理が施され、ステップＳ２に進んで、図２に示すように、圧縮処理された撮像信号データの送信対象ファイル２６が、メモリ１０に形成される送信対象ディレクトリ２７に格納される。
【００２７】
そして、ステップＳ３に進み、ＣＰＵ７の指令によって、送信対象ディレクトリ２７内の撮像データファイルＲＩＭＧ０００１ＪＰＧ、ＲＩＭＧ０００２ＪＰＧ、ＲＩＭＧ０００３ＪＰＧが、通信インタフェース１６及び通信コネクタ１７を介して、外部装置２３に送信され大記憶容量記録媒体に格納される。　　　　次いで、ステップＳ４で、外部装置２３への撮像データファイルＲＩＭＧ０００１ＪＰＧ、ＲＩＭＧ０００２ＪＰＧ、ＲＩＭＧ０００３ＪＰＧの送信が完了したか否かが判定され、送信が完了したと判定されると、ステップＳ５に進み、メモリ１０に送信済みディレクトリが存在するか否かの判定が行なわれる。
【００２８】
そして、ステップＳ５でメモリ１０に送信済みディレクトリ２９が、図３に示すように存在すると判定されると、ステップＳ６に進んで、ＣＰＵ７の指令によって、送信対象ディレクトリ２７から、送信済みファイルＲＩＭＧ０００１ＪＰＧ、ＲＩＭＧ０００２ＪＰＧ、ＲＩＭＧ０００３ＪＰＧが、メモリ１０の送信済みディレクトリ２９に移動格納される。
一方、ステップＳ５で、メモリ１０に送信済みディレクトリが存在しないと判定されると、ステップＳ７に進んで、ＣＰＵ７の指令によって、メモリ１０に送信済みディレクトリが作成され、ステップＳ６に進んで、作成された送信済みディレクトリに、送信対象ディレクトリ２７から、送信済みファイルＲＩＭＧ０００１ＪＰＧ、ＲＩＭＧ０００２ＪＰＧ、ＲＩＭＧ０００３ＪＰＧが移動格納される。
【００２９】
なお、その後に被写体の撮影が行なわれると、得られる撮像信号に基づいて、撮像データファイルＲＩＭＧ０００４ＪＰＧ、ＲＩＭＧ０００５ＪＰＧが作成されると、作成された送信対象ファイル２６は、図３に示すように、メモリ１０の送信対象ディレクトリ２７に格納される。
そして、図３の状態から、すでに外部装置２３に送信した撮像データファイルＲＩＭＧ０００１ＪＰＧを、再度外部装置２３に送信する必要が生じた場合には、図４に示すように、ＣＰＵ７の指令よって、送信済みディレクトリ２９から、撮像データファイルＲＩＭＧ０００１ＪＰＧが、送信対象ディレクトリ２７に復帰移動され格納される。
【００３０】
また、本実施の形態では、ＣＰＵ７の指令によって、メモリ１０の送信済みディレクトリ２９に格納されている送信済みファイル２８の撮像データの表示部２１への表示は禁止され、オペレータによって、表示部２１の表示に基づき、現在メモリ１０に格納されている送信対象の撮像データが適確に把握される。
【００３１】
このように、本実施の形態によると、撮像画像データが格納されるメモリ１０は、外部装置２３への送信対象となる撮像データファイルが格納される送信対象ディレクトリ２７と、送信済みの撮像データファイルが、送信対象ディレクトリ２７から移動格納される送信済みディレクトリ２９とが形成されるように構成され、　ディジタルカメラ２５で撮影された被写体の撮像データは、ＣＰＵ７の指　令によって、メモリ１０の送信対象ディレクトリ２７に格納され、外部装置２３に送信された撮像データは、送信済みディレクトリ２９に移動格納される。
このために、本実施の形態では、ファイル毎の固有コードの作成付与、ファイルの送信時の送信ファイルの固有コードと、外部装置の大容量記録媒体に記録格納されている全てのファイルの固有コードの比較による送信制御が不要で、簡単な構成且つ簡単な制御動作によって、カメラを小型化した状態で、メモリ１０に被写体の撮像データを、外部装置２３への重複誤送信を避けて適確に分類格納し、被写体の撮像データを、外部装置２３での利用要求に迅速に対応自在な状態で管理格納することが可能になる。
【００３２】
［第２の実施の形態］
本発明の第２の実施の形態を図６を参照して説明する。
図６は本実施の形態の撮像情報の送信格納動作を示すフローチャートである。
【００３３】
本実施の形態では、図１を流用して説明すると、すでに説明した第１の実施の形態に対して、操作部２０には、移動格納手段の作動を選択する移動格納選択設定手段、復帰格納手段の作動を選択する復帰格納選択設定手段、及び表示禁止手段の作動を選択する表示禁止選択設定手段が、オペレータの選択自在に配設されている。
本実施の形態のその他の部分の構成は、すでに説明した第１の実施の形態と同一なので重複する説明は行なわない。
【００３４】
本実施の形態の撮像情報の送信格納動作を、図６のフローチャートに従って説明する。
図６のフローチャートのステップＳ１１ないしＳ１４の動作は、すでに説明した第１の実施の形態の動作を示す図５のステップＳ１ないしＳ４の動作とそれぞれ同一であり、図６のフローチャートのステップＳ１６ないしＳ１８の動作は、図５のステップＳ５ないしＳ７の動作とそれぞれ同一なので、これらについては重複する説明は行なわない。
【００３５】
本実施の形態では、図６のフローチャートのステップＳ１４からステップＳ１５に進み、オペレータが操作部２０で移動格納選択設定手段を選択操作することにより、外部装置２３への送信を済ませた撮像データのメモリ１０の送信対象ディレクトリ２７から送信済みディレクトリ２９への移動格納が選択設定されているか否かの判定が行なわれる。
そして、ステップＳ１５で、移動格納の選択設定が行なわれていないと判定されるとそのまま処理を終了し、移動格納の選択設定が行なわれていると判定されると、ステップＳ１６に進んで、、以下は第１の実施の形態の場合と同様の動作が行なわれ、図３を流用して説明すると、送信済みディレクトリ２９に、送信対象ディレクトリ２７から、送信済みファイルＲＩＭＧ０００１ＪＰＧ、ＲＩＭＧ０００２ＪＰＧ、ＲＩＭＧ０００３ＪＰＧが移動格納される。
【００３６】
なお、フローチャートを示しての説明は行なわないが、オペレータが操作部から復帰格納手段の選択操作を行なった場合、或いはオペレータが操作部から表示禁止手段の選択操作を行なった場合にも、それぞれ対応する格納動作、或いは表示禁止動作が行なわれる。
また、本実施の形態の被写体の撮影を含むその他の動作は、すでに説明した第１の実施の形態でのそれぞれの動作と同一なので、重複する説明は行なわない。
【００３７】
このように本実施の形態によると、すでに説明した第１の実施の形態で得られる効果に加えて、オペレータは、操作部から、例えば、移動格納選択切換手段の動作の選択を行なうことにより、外部装置２３への送信を済ませた撮像データに対する移動格納を選択することができ、被写体の撮影動作と撮像データの外部装置２３への送信動作とを、両動作の流れを勘案して計画的且つ効率的に選択実行することが可能になる。
【００３８】
【発明の効果】
請求項１記載の発明は、被写体の撮像情報が格納される撮像情報格納手段と、撮像情報格納手段の格納情報を再生表示する撮像情報表示手段と、撮像情報格納手段に格納される撮像情報を外部装置に送信する撮像情報送信手段とを備えているが、撮像情報格納手段には、撮像情報送信手段による外部装置への送信の対象となる撮像情報が格納される第１のディレクトリと、送信済みの撮像情報が格納される第２のディレクトリとが設けられており、送信・格納制御手段の制御によって、第１のディレクトリに格納される撮像情報から選択された撮像情報が、撮像情報送信手段によって外部装置に送信され、送信済みの撮像情報が第２のディレクトリに移動格納されるので、簡単な構成でカメラを小型化した状態で、被写体の撮像情報を、撮像情報格納手段に、外部装置への重複誤送信を避けて適確に分類格納し、撮像情報を、外部装置での利用要求に迅速に対応自在に撮像情報格納手段に管理格納することが可能になる。
【００３９】
請求項２記載の発明によると、請求項１記載の発明で得られる効果に加えて、オペレータによって、移動格納選択切換手段が必要時に選択され、外部装置への送信を済ませた撮像情報の第２のディレクトリへの移動格納が選択的に実行されるので、被写体の撮影動作と撮像情報の外部装置への送信動作との流れを勘案して、送信済みの撮像情報の第２のディレクトリへの移動格納を、計画的且つ効率的に選択実行することにより、被写体の撮影と撮像情報の管理とを能率的且つ効果的に実行することが可能になる。
【００４０】
請求項３記載の発明によると、請求項１または請求項２記載の発明で得られる効果に加えて、復帰格納手段によって、第１のディレクトリから第２のディレクトリに移動格納した撮像情報を、第２のディレクトリから第１のディレクトリに復帰格納することにより、送信済みの撮像情報の外部装置への再度の送信を簡単且つスムーズに行なうことが可能になる。
【００４１】
請求項４記載の発明によると、請求項３記載の発明で得られる効果に加えて、オペレータによって、復帰格納選択切換手段が必要時に選択され、撮像情報の第２のディレクトリから第１のディレクトリへの復帰格納が選択的に実行されるので、被写体の撮像動作と撮像情報の外部装置への送信動作とに基づいて、送信済み撮像情報の外部装置への再度送信の必要性が発生すると、必要な撮像情報が第２のディレクトリから第１のディレクトリに復帰格納され、外部装置にスムーズに再度送信することが可能になる。
【００４２】
請求項５記載の発明によると、請求項１ないし請求項４の何れかに記載の発明で得られる効果に加えて、表示禁止手段によって、送信済みの撮像情報の表示が禁止されるので、オペレータは、撮像情報表示手段により表示される撮像情報に基づいて、送信対象の撮像情報と送信済みの撮像情報とを、適確に識別することが可能になる。
【００４３】
請求項６記載の発明によると、請求項５記載の発明で得られる効果に加えて、オペレータによって、表示禁止選択切換手段が必要時に選択され、第２のディレクトリに格納された撮像情報が、表示禁止選択切換手段の非選択時には、撮像情報表示手段によって表示されるので、送信済みの撮像情報を、必要に応じて表示し内容を確認することが可能になる。
【図面の簡単な説明】
【図１】本発明の第１の実施の形態の全体構成を示すブロック図である。
【図２】同実施の形態における撮像情報の送信対象ファイルへの格納状態の説明図である。
【図３】図２の格納状態から送信済みディレクトリへの移動格納と新たな撮像情報の送信対象ファイルへの格納状態の説明図である。
【図４】図３の格納状態から送信済み撮像情報の送信対象ファイルへの復帰格納状態の説明図である。
【図５】同実施の形態の撮像情報の送信格納動作を示すフローチャートである。
【図６】本発明の第２の実施の形態の撮像情報の送信格納動作を示すフローチャートである。
【符号の説明】
１　ＣＣＤ
６　ディジタル信号処理ユニット
７　ＣＰＵ
１０　メモリ
２０　操作部
２１　表示部
２３　外部装置
２５　ディジタルカメラ
２６　送信対象ファイル
２７　送信対象ディレクトリ
２８　送信済みファイル
２９　送信済みディレクトリ
【図１】
2004104725.tif 000003
【図２】
2004104725.tif 000004
【図３】
2004104725.tif 000005
【図４】
2004104725.tif 000006
【図５】
2004104725.tif 000007
【図６】
2004104725.tif 000008